(57)【要約】【課題】  窓額縁の内法を広く且つ窓額縁の鍔部の見付け寸法を小さくすることができ、意匠性の向上が図れる浴室ユニットの窓構造を提供する。【解決手段】  窓用開口部６と窓サッシ３との間に設けられる窓額縁１４は、窓用開口部６の室内側縁部に当接される当接部１５ａ，１６ｂを有すると共に外面に複数のタッピングホール１５ｂ，１６ｂを有する上下の横枠材１５と左右の縦枠材１６をコーナー部材１７を介して連結してなり、コーナー部材１７は横枠材１５または縦枠材１６の厚さと略同じ厚さの横断面方形に形成され、コーナー部材１７の隣接する面に横枠材１５の端面と縦枠材１６の端面を当接させ、各当接面とは反対側の面から横枠材１５または縦枠材１６のタッピングホール１５ｂ，１６ｂに固着具１９を交互に螺入してなる。【選択図】          図４
2005068834.tif 000002
【特許請求の範囲】
【請求項１】
建物の躯体に設けられる窓サッシと、前記躯体内に設置される浴室ユニットの壁パネルに形成された窓用開口部と、該窓用開口部と前記窓サッシとの間に設けられる窓額縁とを備えた浴室ユニットの窓構造であって、前記窓額縁は、窓用開口部の室内側縁部に当接される当接部を有すると共に外面に複数のタッピングホールを有する上下の横枠材と左右の縦枠材をコーナー部材を介して連結してなり、前記コーナー部材は横枠材または縦枠材の厚さと略同じ厚さの横断面方形に形成され、該コーナー部材の隣接する面に横枠材の端面と縦枠材の端面を当接させ、各当接面とは反対側の面から横枠材または縦枠材のタッピングホールに固着具を交互に螺入してなることを特徴とする浴室ユニットの窓構造。
【発明の詳細な説明】
【技術分野】
【０００１】
本発明は、浴室ユニットの窓用開口部と窓サッシとの間に設けられる窓額縁の構造を改良した浴室ユニットの窓構造に関するものである。
【背景技術】
【０００２】
従来の浴室ユニットの窓構造としては、例えば特開平６−８１５４５号公報（前者）に記載されているものや特開平１１−１０１０６８号公報（後者）に記載されているものが知られている。前者は、浴室壁面（壁パネル）に形成された開口部（窓用開口部）と窓サッシ間に配置される窓接続枠（窓額縁）であって、該窓接続枠を構成する縦枠（縦枠材）と横枠（横枠材）がコーナー部材を介して連結されていると共、コーナー部材には前記縦枠及び横枠の直線状の各端面がシリコン材を介して水密状に接合される段部が形成されている。後者は、鍔部を有する合成樹脂製の板状枠部材を、その鍔部が外方に向くようにして４枚組み合わせて上下、左右の四面を形成してなる鍔付き四角枠状体の鍔部が、窓用開口部の周縁部に取付けられて用いられる窓額縁において、鍔部が窓用開口部の側壁表面と当接する側に、水密材であるポリエチレン製の帯状発泡体が接着して装着される凹部が設けられている。
【０００３】
【特許文献１】特開平６−８１５４５号公報
【発明の開示】
【発明が解決しようとする課題】
【０００４】
ところで、従来の浴室ユニットの窓構造においては、窓額縁を構成する横枠材及び縦枠材が合成樹脂製で厚さも厚く、これら横枠材及び縦枠材の端面をコーナー部材に当接させて固着具であるネジで結合する際に、横枠材を結合するネジと縦枠材を結合するネジとが干渉しないようにすると共に横枠材及び縦枠材をコーナー部材に安定した状態に結合するために、コーナー部材の横断面形状が大きくなる傾向があり、これにより窓額縁の内法が狭く且つ窓額縁の鍔部の見付け寸法（見付け幅）が大きくなり、意匠性が低下する問題がある。
【０００５】
本発明は、上記事情を考慮してなされたものであり、窓額縁の内法を広く且つ窓額縁の鍔部の見付け寸法を小さくすることができ、意匠性の向上が図れる浴室ユニットの窓構造を提供することを目的とする。
【課題を解決するための手段】
【０００６】
本発明は、建物の躯体に設けられる窓サッシと、前記躯体内に設置される浴室ユニットの壁パネルに形成された窓用開口部と、該窓用開口部と前記窓サッシとの間に設けられる窓額縁とを備えた浴室ユニットの窓構造であって、前記窓額縁は、窓用開口部の室内側縁部に当接される当接部（鍔部）を有すると共に外面に複数のタッピングホールを有する上下の横枠材と左右の縦枠材をコーナー部材を介して連結してなり、前記コーナー部材は横枠材または縦枠材の厚さと略同じ厚さの横断面方形に形成され、該コーナー部材の隣接する面に横枠材の端面と縦枠材の端面を当接させ、各当接面とは反対側の面から横枠材または縦枠材のタッピングホールに固着具を交互に螺入してなることを特徴とする。
【発明の効果】
【０００７】
本発明によれば、建物の躯体に設けられる窓サッシと、前記躯体内に設置される浴室ユニットの壁パネルに形成された窓用開口部と、該窓用開口部と前記窓サッシとの間に設けられる窓額縁とを備えた浴室ユニットの窓構造であって、前記窓額縁は、窓用開口部の室内側縁部に当接される当接部（鍔部）を有すると共に外面に複数のタッピングホールを有する上下の横枠材と左右の縦枠材をコーナー部材を介して連結してなり、前記コーナー部材は横枠材または縦枠材の厚さと略同じ厚さの横断面方形に形成され、該コーナー部材の隣接する面に横枠材の端面と縦枠材の端面を当接させ、各当接面とは反対側の面から横枠材または縦枠材のタッピングホールに固着具を交互に螺入してなるため、窓額縁の内法を広く且つ窓額縁の当接部（鍔部）の見付け寸法を小さくすることができ、意匠性の向上が図れる。
【発明を実施するための最良の形態】
【０００８】
以下に、本発明を実施するための最良の形態について、添付図面を基に詳述する。図１は本発明をアングル付き窓サッシに適用した実施の形態を示す縦断面図、図２は同横断面図、図３は窓額縁の斜視図、図４は窓額縁の要部拡大斜視図、図５は窓額縁のコーナー部材を示す斜視図、図６は窓額縁の縦枠材を示す斜視図、図７は窓額縁の横枠材を示す斜視図である。
【０００９】
図１ないし図２において、１は建物の躯体で、この躯体１内には浴室ユニット２が設置され、躯体１の外壁には窓サッシ３が取付けられている。この場合、前記建物の躯体１内にはタイル張り等からなる在来工法からなる既存の浴室が設けられていた。この浴室をリフォームするに当たり、躯体１内から既存の浴室を撤去し、同躯体１内に新たな浴室ユニット２を設置する。また、リフォームの一つの態様として、窓サッシ３の交換を行わず、既存の窓サッシを残して使用する場合があり、本実施例ではこの場合が示されている。
【００１０】
浴室ユニット２は、例えば建物の躯体１内に浴槽や洗い場を有する防水パン４を設置し、該防水パン４の周縁部に壁パネル５を配設して浴室の壁を形成し、該浴室の壁の上部に天井パネルを取付けて構成されている。そして、前記壁パネル５に窓用開口部６が形成されているのであるが、窓サッシ３が窓用開口部６の開口幅に対応した大きさの窓サッシに交換されていないので、浴室ユニット２の窓用開口部６の開口幅よりも既存の窓サッシ３の開口幅の方が大きくなっている。この開口幅の違いにより生じる隙間、すなわち窓サッシ３と窓用開口部６との間の幅寸法差による隙間を覆うために、窓サッシ３の室内側両側位置には目隠し材（アタッチメント縦材）７が配置されている。
【００１１】
図示例では半外付けタイプの窓サッシ３が示され、この窓サッシ３は、上枠８ａ、下枠８ｂ及び左右の縦枠８ｃからなる枠体８と、該枠体８内に開閉自在に設けられた引違い式の障子９ａ，９ｂとを備えている。また、前記窓サッシ３は図示例では断熱サッシであるが、非断熱サッシであっても良い。また、図示例の窓サッシ３は、枠体８の室内側四周にアングル１０ａ〜１０ｃを有している。躯体１を構成する左右の柱１ａには縦枠８ｃのアングル１０ｃを固定するためのスぺーサ１１が取付けられ、左右のスぺーサ１１に対して左右の目隠し材７を固定するための横断面略Ｆ字状のアルミ製の固定材１２がアングル１０ｃの室内面に接するようにしてネジ２７で取付けられている。目隠し材７はアルミ製の板材からなり、その一端（外端）が前記固定材１２の縦溝１２ａ内に挿入されて保持されている。この場合、縦溝１２ａ内の室内側に横断面略Ｊ字状のパッキン１３を挿入することにより止水性（水密性）の向上が図られている。更に、目隠し材７の室外面における固定材１２との間にシリコン材（図示省略）を充填して二重止水構造とすされていることが好ましい。
【００１２】
前記目隠し材７の他端（内端）には室内側に向って開口した縦溝状の挿入溝７ｂを有する横断面略コ字状の保持部７ａが一体形成され、この保持部７ａの挿入溝７ｂ内に後述の窓額縁１４を構成する縦枠材１６の室外側端部が挿入されて保持されている。この場合、保持部７ａには縦枠材１６を固定するためにネジ１８が内側から適宜捩じ込まれていることが好ましい（図９参照）。前記保持部７ａの挿入溝７ｂ内の内側の壁面には上下方向に連続した突条部７ｃが複数列形成され、その入口側の突条部７ｃ間には縦枠材１６との間を止水する止水材（図示省略）が挿入されていることが好ましい。
【００１３】
前記目隠し材７を含む窓サッシ３と前記壁パネル５の窓用開口部６との間には両者間を連結するための窓額縁１４が設けられている。この窓額縁１４は、図３〜図７にも示すように、窓用開口部６の室内側縁部に当接される鍔部（当接部、鍔状の当接部ともいう。）１５ａ、１６ａを有すると共に外面に複数のタッピングホール１５ｂ，１６ｂを有する上下の横枠材１５と左右の縦枠材１６をコーナー部材１７を介して連結して構成されている。前記コーナー部材１７は横枠材１５または縦枠材１６の厚さと略同じ厚さの横断面方形に形成され、該コーナー部材１７の隣接する面に横枠材１５の端面（切断面）と縦枠材１６の端面（切断面）が当接され、各当接面とは反対側の面から横枠材１５または縦枠材１６のタッピングホール１５ｂ，１６ｂに固着具例えばネジ１９が交互に螺入されている。
【００１４】
前記横枠材１５及び縦枠材１６は、清掃性及び意匠性の向上を図るために、アルミ製、例えばアルミ形材からなっており、露出面が塗装されている。横枠材１５の外面と縦枠材１６の外面とには鍔部１５ａ、１６ａと平行に横断面略Ｃ字状のタッピングホール１５ｂ，１６ｂが複数列、且つ横枠材１５側のタッピングホール１５ｂと縦枠材１６側のタッピングホール１６ｂとが互い違いになるように（すなわち同一位置に重ならないように）配設されている。前記鍔部１５ａ，１６ｂは外向きに形成されている。
【００１５】
コーナー部材１７はアルミ製であり、一端には横枠材１５の鍔部１５ａと縦枠材１６の鍔部１６ａとを繋ぐコーナー用鍔部１７ａが形成されている。コーナー部材１７には横枠材１５のタッピングホール１５ｂと縦枠材１６のタッピングホール１６ｂとに対してネジ１９を交互に螺入するための孔部１７ｂが交互に設けられている。このようにコーナー部材１７は横枠材１５または縦枠材１６のタッピングホール１５ｂ，１６ｂを含む厚さと略同じ厚さの横断面方形（横断面正方形）に形成され、該コーナー部材１７の隣接する面に横枠材１５の端面と縦枠材１６の端面を当接させ、各当接面とは反対側の面から横枠材１５または縦枠材１６のタッピングホール１５ｂ，１６ｂにネジ１９を交互に螺入するようにしているため、ネジ１９同士の干渉を回避しつつコーナー部材１７の断面形状の小型化が図れ、もって、窓額縁１４の内法を広く確保すると共に鍔部１５ａ，１６ａの見付け寸法をできるだけ小さくし、意匠性の向上及びコストの低減を図っている。また、コーナー部材１７の内側角部には横枠材１５及び縦枠材１６の内面側を当接させて位置決めするための横断面小直角三角形状の位置決め部１７ｃが形成されている。コーナー部材１７の内側の隣接する面（当接面）と横枠材１５及び縦枠材１６の端面との間にはシリコン材等の止水材が介在されていることが好ましい。
【００１６】
前記窓額縁１４は壁パネル５の窓開口部６に室内側から室外側へ向って挿通され、左右の縦枠材１６の先端部が各目隠し材７の挿入溝７ｂ内に挿入され、上部の横枠材１５の先端部を上部のアングル１０ａの上に且つ下部の横枠材１５の先端部を下部のアングル１０ｂの下にそれぞれ位置させる。そして、横枠材１５の鍔部１５ａは、図２に示すように浴室ユニット２のコーナー部における壁パネルジョイント部材２０に接合される。縦枠材１６の鍔部１６ａは、図１に示すように壁パネル５の窓用開口部６の室内側周縁部に当接されてネジ２１で固定される。この場合、鍔部１５ａ，１６ａ，１７ａの周縁部には壁パネル５との間をシールするシリコン材が充填されることが好ましい。
【００１７】
前記横枠材１５の鍔部１５ａの室内面（見付け面）にはネジ２１を隠すためのカバー材２２が装着されるようになっている。上部の横枠材１５の室外側端部は上部のアングル１０ａの上にスぺーサ２３を介してネジ２４で固定され、下部の横枠材１５の室外側端部は躯体の窓台１ｂ上にスぺーサ２５を介して載置されると共に下部のアングル１０ｂの下にネジ２６で固定される。横枠材１５とアングル１０ｂ間にもシリコン材が充填されてシールされる。
【００１８】
前述した態様で浴室ユニット２を施工した場合、浴室ユニット２の窓用開口部６の開口幅よりも既設の窓サッシ３の開口幅の方が大きく、これらの開口幅の差から生じる隙間を覆うべく目隠し材７が窓サッシ３の室内側見付け部に密着して取付けられるため、内障子９ａの召し合せ框の一部が室内側に張り出していたり、クレセントが室内側に張り出している場合に、内障子９ａを開移動させたときにこれらの張り出し部分が目隠し材７と干渉して目隠し材７を損傷したり、指を挟んだりする恐れがある。そこで、この問題を解消するために、窓サッシ３の上枠８ａには、内障子９ａを開移動させたときに張り出し部分が目隠し材７と干渉する手前で前記内障子９ａの移動を阻止するためのストッパー２８が設けられている。このストッパー２８は合成樹脂製のブロック状に形成されており、ネジ等で上枠８ａの下部に固定されている。
【００１９】
以上の構成からなる浴室ユニット２の窓構造によれば、建物の躯体１に設けられる窓サッシ３と、前記躯体１内に設置される浴室ユニット２の壁パネル５に形成された窓用開口部６と、該窓用開口部６と前記窓サッシ３との間に設けられる窓額縁１４とを備え、前記窓額縁１４は、窓用開口部６の室内側縁部に当接される鍔部（当接部）１５ａ，１６ａを有すると共に外面に複数のタッピングホール１５ｂ，１６ｂを有する上下の横枠材１５と左右の縦枠材１６をコーナー部材１７を介して連結してなり、前記コーナー部材１７は横枠材１５または縦枠材１６の厚さと略同じ厚さの横断面方形に形成され、該コーナー部材１７の隣接する面に横枠材１５の端面と縦枠材１６の端面を当接させ、各当接面とは反対側の面から横枠材１５または縦枠材１６のタッピングホール１５ｂ，１６ｂにネジ１９を交互に螺入して（捩じ込んで）コーナー部材１７と横枠材１５及び縦枠材１６とを締結してなるため、窓額縁１４の内法を広く且つ窓額縁１４の鍔部１５ａ，１６ａの見付け寸法を小さくすることができ、意匠性の向上が図れる。
【００２０】
特に、窓額縁１４の横枠材１５及び縦枠材１６がアルミ製であるため、意匠性及び清掃性の向上が図れる。また、横枠材１５及び縦枠材１６は、アルミ製であっても、現場の寸法に合わせた長さや幅で直線的に切断すれば良く、現場で斜め切断加工やコの字切断加工や穴加工を要しないので、加工が容易（現場加工性が良い）で、加工時間を削減できる。更に、窓額縁１４を窓サッシ３側でなく、浴室ユニット２の壁パネル５に固定して支持させているので、窓額縁１４を安定して支持することができる。
【００２１】
また、浴室ユニットの窓構造によれば、建物の躯体１内に設置される浴室ユニット２の壁パネル５に形成された窓用開口部６と、躯体１の外壁に設けられた既設の窓サッシ３と、該窓サッシ３と前記窓用開口部６との間の幅寸法差による隙間を覆うべく設けられる目隠し材７と、該目隠し材７を含む窓サッシ３と窓用開口部６との間に設けられる窓額縁１４と備え、前記窓サッシ３の上枠８ａに、窓サッシ３の障子９ａが前記目隠し材７と干渉するのを避けるべく障子９ａの移動を阻止するためのストッパー２８を設けているため、目隠し材７の損傷や指挟みを防止することができ、耐久性及び安全性の向上が図れる。
【００２２】
図８は本発明をアングル無しの窓サッシに適用した実施の形態を示す縦断面図、図２は同横断面図である。本実施の形態において前記実施の形態と同一ないし均等の部分は同一参照符号を付して説明を省略し、異なる部分について説明を加える。図示例の窓サッシ３は、下枠８ｂにのみアングル１０を有し、上枠８ａ及び左右の縦枠８ｃにはアングルを有しないアングル無しの窓サッシである。また、図示例の窓サッシ３は、内付けタイプの窓サッシである。縦枠８ｃにアングルを有しないので、目隠し材７の固定材１２は縦枠８ｃの室内面に接するようにして躯体１の柱１ａにネジ２７で固定されている。図示例の目隠し材７の保持部７ａの挿入溝７ｂ内には突条部７ｃが形成されていないが、突条部７ｃが形成されていても良い。窓額縁１４を構成する横枠材１５及び縦枠材１６の外面にはタッピングホール１５ｂ，１６ｂの他にリブ１５ｃ，１６ｃが適宜形成されている。
【００２３】
また、上下の横枠材１５の先端側には横断面略Ｌ字状のアタッチメントであるアルミ製の横材（アタッチメント横材）２９が取付けられている。図示例では、窓台１ｂやマグサ１ｃが窓サッシ３の基本寸法から１０ｍｍ以上離れているため、上枠８ａと下枠８ｂの裏面に裏補強鋼板３０が配設され、これらの裏補強鋼板３０に対して横材２９がネジ３１で固定されている。前記縦枠８ｃの室内面と固定材１２との間及び上枠８ａ、下枠８ｂの室内面と横材２９との間をシールするために、枠体８の室内面には止水テープであるブチルテープ（図示省略）が四周に貼り付けられている。本実施の形態の浴室ユニットの窓構造においても、前記実施の形態と同様の作用効果を奏することができる。
【００２４】
図１０は図８の変形例を示す要部縦断面図、図１１は図９の変形例を示す要部横断面図、図１２は窓額縁のコーナーポケット室外側の止水構造を説明する図である。窓額縁１４の横枠材１５においては、鍔部１５ａと壁パネル５との間が壁パネル５の窓用開口部６の室内側縁部に貼り付けたブチルテープ３２とシリコンポケットに充填したシリコン材３３とにより二重にシールされて止水性の向上が図られている。横材２９をネジを用いずに係合のみで固定して意匠性の向上を図るために横枠材１５の先端側には合成樹脂製の横材固定ピース３４が配置され、この横材固定ピース３４は窓台１ｂに対してネジ３５で固定されている。横材固定ピース３４には、横材２９に形成された係合爪部を係合させる係合受部３６ａ、３６ｂが形成され、これにより横枠材１５上に横材固定ピース３４を介して横材２９を固定している。横材２９と横枠材１５との間は、横枠材１５上に横方向（左右方向）に貼り付けたブチルテープ３７とシリコンポケットに充填したシリコン材３８とにより二重に止水され、横材２９と窓サッシ３の下枠８ｂ（上枠８ａも同様、図示省略）との間は、下枠８ｂの室内面に横方向（左右方向）に貼り付けたブチルテープ３９とシリコンポケットに充填したシリコン材４０とにより二重に止水され、止水性の向上が図られている。
【００２５】
目隠し材７の固定材１２と窓サッシ３の縦枠８ｃとの間は、図１１に示すように枠体８の室内面に四周に貼り付けたブチルテープのうちの縦枠室内面に貼り付けたブチルテープ４１により止水され、目隠し材７の保持部７ａと窓サッシ３の上枠８ａ及び下枠８ｂとの間は上枠８ａ及び下枠８ｂの室内面に横方向に貼り付けたブチルテープ（図示省略）とこのブチルテープと直交するように縦方向に貼り付けたブチルテープ４２により止水されている。また、図１２にも示すように窓額縁１４のコーナー部において目隠し材７の保持部７ａと横材２９とによって形成されたコーナーポケット４３における止水性及び意匠性の向上を図るために、コーナーポケット４３には横断面略Ｌ字状のコーナープレート（図示省略）が挿入されると共にブチルゴム製の直方体状のバックアップ材４４が押し込まれており、更にその表面にシリコン材（図示省略）が充填されていることが好ましい。
【００２６】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明の浴室ユニットの窓構造（特に窓額縁）は、リフォーム時の既存の窓サッシに対するものに限定されず、建物の新設時及びリフォーム時の新設の窓サッシに対しても適用可能である。
【図面の簡単な説明】
【００２７】
【図１】本発明をアングル付き窓サッシに適用した実施の形態を示す縦断面図である。
【図２】同横断面図である。
【図３】窓額縁の斜視図である。
【図４】窓額縁の要部拡大斜視図である。
【図５】窓額縁のコーナー部材を示す斜視図である。
【図６】窓額縁の縦枠材を示す斜視図である。
【図７】窓額縁の横枠材を示す斜視図である。
【図８】本発明をアングル無し窓サッシに適用した実施の形態を示す縦断面図である。
【図９】同横断面図である。
【図１０】図８の変形例を示す要部縦断面図である。
【図１１】図９の変形例を示す要部横断面図である。
【図１２】窓額縁のコーナーポケット室外側の止水構造を説明する図である。
【符号の説明】
【００２８】
１  躯体
２  浴室ユニット
３  窓サッシ
５  壁パネル
６  窓用開口部
７  目隠し材
８  枠体
９ａ，９ｂ  障子
１４  窓額縁
１５  縦枠材
１６  横枠材
１５ａ，１６ａ  鍔部（当接部）
１５ｂ、１６ｂ  タッピングホール
１７  コーナー部材
１９  ネジ（固着具）
２８  ストッパー
【図１】
2005068834.tif 000003
【図２】
2005068834.tif 000004
【図３】
2005068834.tif 000005
【図４】
2005068834.tif 000006
【図５】
2005068834.tif 000007
【図６】
2005068834.tif 000008
【図７】
2005068834.tif 000009
【図８】
2005068834.tif 000010
【図９】
2005068834.tif 000011
【図１０】
2005068834.tif 000012
【図１１】
2005068834.tif 000013
【図１２】
2005068834.tif 000014